(57)【特許請求の範囲】
【請求項１】
荷台の左右両側辺の前後両端部に、パレットの段積み時に下段パレットの左右両側パネルの上に載置される脚体が付設され、前記左右両側パネルは、荷台の後側辺に荷台上に重ねるように折り畳み自在に連結された背パネルの左右両側辺に当該背パネルの内側に重ねるように折り畳み自在に連結され、荷台には、折り畳み状態のパレットを段積みするときに上段パレットの各脚体を支持する折り畳みパレット段積み用支持部が左右両側パネルの外側で上向きに突設され、荷台が、左右両側辺の前後方向の奥行き材と両奥行き材間に架設された左右方向の間口材から成る骨枠と、この骨枠上に敷設された敷設材とから構成され、前記敷設材は、左右両側パネルの下辺より内側の位置に敷設して左右両側パネルの下辺を支持しないように構成し、骨枠の奥行き材には、左右両側パネルの下辺を直接支持する平坦上面を有せしめ、この平坦上面に隣接して、前記折り畳みパレット段積み用支持部との間で左右両側パネルの下辺を挟む側パネル位置決め用突出部が設けられている折り畳み自在な箱型パレットにおいて、
骨枠の奥行き材は、左右両側板部とこの左右両側板部の上端間をつなぐ上板部とを全長にわたって有する下側開放型材から構成され、その上板部の上面が左右両側パネルの下辺を直接支持する前記平坦上面を形成し、側パネル位置決め用突出部は、前記上板部の曲げ加工により奥行き材の全長にわたって形成されている、折り畳み自在な箱型パレット。
【請求項２】
骨枠の奥行き材には、左右両側パネルの下辺より内側で前記敷設材の側辺を支持する一段低い敷設材支持段面が形成されている、請求項１に記載の折り畳み自在な箱型パレット。
【請求項３】
前記側パネル位置決め用突出部は、左右両側パネルの下辺を直接支持する前記平坦上面のある外側が急角度で立ち上がると共に内側が緩角度で立ち上がる断面略三角形に形成されている、請求項１又は２に記載の折り畳み自在な箱型パレット。
【発明の詳細な説明】
【技術分野】
【０００１】
本発明は、折り畳み自在な箱型パレットに関するものである。
【背景技術】
【０００２】
折り畳み自在な箱型パレットとして、特許文献１に記載のように、荷台の左右両側辺の前後両端部に、パレットの段積み時に下段パレットの左右両側パネルの上に載置される脚体が付設され、前記左右両側パネルは、荷台の後側辺に荷台上に重ねるように折り畳み自在に連結された背パネルの左右両側辺に当該背パネルの内側に重ねるように折り畳み自在に連結され、荷台には、折り畳み状態のパレットを段積みするときに上段パレットの各脚体を支持する折り畳みパレット段積み用支持部が左右両側パネルの外側で上向きに突設され、荷台が、左右両側辺の前後方向の奥行き材と両奥行き材間に架設された左右方向の間口材から成る骨枠と、この骨枠上に敷設された敷設材とから構成されたものが知られている。
【特許文献１】特開２０００−５３１３２号公報
【発明の開示】
【発明が解決しようとする課題】
【０００３】
この種の折り畳み自在な箱型パレットでは、折り畳みに際して、左右両側パネルを背パネルの外側に重ねるように折り畳むことは、荷台から左右両側パネルの外側に突出する折り畳みパレット段積み用支持部が邪魔になってできないため、特許文献１にも開示されるように、左右両側パネルを背パネルの内側に重ねるように折り畳むことになる。このような構成では、折り畳みパレット段積み用支持部を持たない種類の折り畳み自在な箱型パレットにおいて知られているように、荷台骨枠の奥行き材内に嵌合して支持される突出片を左右両側パネルの下辺から突設することができないため、特許文献１にも開示されるように、左右両側パネルは、荷台骨枠の奥行き材の上で支持固着される荷台敷設材の左右両側辺の上で支持されることになる。このような従来の構成では、段積み時に左右両側パネルに作用する垂直荷重によって当該左右両側パネルの下辺が外側に滑って位置ずれを起こすことは、左右両側パネルの外側に突出する折り畳みパレット段積み用支持部によって防止することはできても、左右両側パネルの下辺が内側に滑って位置ずれを起こすことは防止する術が無い。このため、段積み時の耐荷重性能が低下することになっていた。
【課題を解決するための手段】
【０００４】
本発明は上記のような従来の問題点を解消し得る折り畳み自在な箱型パレットを提供することを目的とするものであって、その手段を後述する実施形態の参照符号を付して示すと、荷台１の左右両側辺の前後両端部に、パレットの段積み時に下段パレットの左右両側パネル２，３の上に載置される脚体１２が付設され、前記左右両側パネル２，３は、荷台１の後側辺に荷台１上に重ねるように折り畳み自在に連結された背パネル４の左右両側辺に当該背パネル４の内側に重ねるように折り畳み自在に連結され、荷台１には、折り畳み状態のパレットを段積みするときに上段パレットの各脚体１２を支持する折り畳みパレット段積み用支持部１３が左右両側パネル２，３の外側で上向きに突設され、荷台１が、左右両側辺の前後方向の奥行き材１６ａ，１６ｂと両奥行き材１６ａ，１６ｂ間に架設された左右方向の間口材１７ａ〜１７ｅから成る骨枠１４と、この骨枠１４上に敷設された敷設材１５とから構成され、前記敷設材１５は、左右両側パネル２，３の下辺より内側の位置に敷設して左右両側パネル２，３の下辺を支持しないように構成し、骨枠１４の奥行き材１６ａ，１６ｂには、左右両側パネル２，３の下辺を直接支持する平坦上面２１ａを有せしめ、この平坦上面２１ａに隣接して、前記折り畳みパレット段積み用支持部１３との間で左右両側パネル２，３の下辺を挟む側パネル位置決め用突出部２４が設けられた折り畳み自在な箱型パレットにおいて、骨枠１４の奥行き材１６ａ，１６ｂは、左右両側板部２０ａ，２０ｂとこの左右両側板部２０ａ，２０ｂの上端間をつなぐ上板部２１とを全長にわたって有する下側開放型材から構成され、その上板部２１の上面が左右両側パネル２，３の下辺を直接支持する前記平坦上面２１ａを形成し、側パネル位置決め用突出部２４は、前記上板部２１の曲げ加工により奥行き材１６ａ，１６ｂの全長にわたって形成された構成となっている。
【０００５】
上記構成の本発明を実施するについて、具体的には請求項２に記載のように、骨枠１４の奥行き材１６ａ，１６ｂには、左右両側パネル２，３の下辺より内側で前記敷設材１５の側辺を支持する一段低い敷設材支持段面３８を形成することができる。
【０００７】
更に、請求項３に記載のように、前記側パネル位置決め用突出部２４は、左右両側パネル２，３の下辺を直接支持する前記平坦上面２１ａのある外側が急角度で立ち上がると共に内側が緩角度で立ち上がる断面略三角形に形成することができる。
【発明の効果】
【０００８】
上記構成の本発明に係る折り畳み自在な箱型パレットによれば、従来周知のように左右両側パネルが線材を格子状に配列固着して構成されるものであっても、当該左右両側パネルの下辺を構成する前後方向の水平線材は荷台の左右両側辺に配置された奥行き材の平坦上面で支持されるので、パレット段積み時の垂直荷重で左右両側パネルの下辺を構成する前後方向の水平線材が局部的に屈曲変形する恐れがない。勿論、従来周知のように荷台の敷設材が線材を格子状に配列固着して構成されるものであっても、この敷設材が前記奥行き材と左右両側パネルとの間に挟まって、パレット段積み時の垂直荷重を敷設材の左右方向線材が受けて屈曲する恐れも無い。しかも本発明の構成によれば、折り畳みパレット段積み用支持部との間で左右両側パネルの下辺を挟む側パネル位置決め用突出部が荷台骨枠の奥行き材の平坦上面に隣接して設けられており、奥行き材の平坦上面の上で支持される左右両側パネルの下辺が内外何れの方向にも滑って位置ずれを起こすことは確実に阻止することができる。従って、パレット段積み時の耐荷重性能を格段に高めることができる。
【０００９】
更に本発明の構成によれば、左右両側パネルの下辺を直接支持する平坦上面とこれに隣接する側パネル位置決め用突出部とを備えた骨枠の奥行き材を１枚の帯状鉄板からロール成形などにより容易且つ安価に構成することができ、そして奥行き材の全長にわたって連続する平坦上面で左右両側板部の下辺全域を支持することができるので、段積み時の耐荷重性能を一層高めることができる。
【００１０】
又、荷台の敷設材、例えば前記のようにメッシュ構造の敷設材は、左右両側の奥行き材間に架設された間口材に支持固着させることができるが、特に請求項２に記載の構成によれば、前後に隣り合う間口材間で敷設材の側辺が荷重で垂れ下がるように変形するのを防止することができ、敷設材を比較的細い線材で構成しても積載荷重を増大させることができる。
【００１１】
更に、請求項３に記載の構成によれば、左右両側パネルが内側へ滑って位置ずれを起こすのを側パネル位置決め用突出部の外側の急角度で立ち上がる側面で確実に阻止させながら、折り畳まれたパレットを展開するために、起立させた背パネルに対して左右両側パネルを開動させるとき、側パネル位置決め用突出部の内側の緩角度で立ち上がる斜面を利用して、開動する左右両側パネルの下側辺をして容易に当該側パネル位置決め用突出部を乗り越えさせることができ、折り畳まれたパレットの展開作業を容易に行うことができる。
【発明を実施するための最良の形態】
【００１２】
以下に本発明の具体的実施例を添付図に基づいて説明すると、図１及び図２において、１は荷台、２，３は荷台１の左右両側辺から起立する左右両側パネル、４は荷台１の後側辺から起立する背パネル、５は荷台１の前側辺から起立する扉パネルである。左右両側パネル２，３は、その後側辺が背パネル４の左右両側辺に、この背パネル４の左右両側辺に沿った回転軸心を持つコイルヒンジ６，７により揺動自在に連結され、背パネル４は、その内向き折曲部４ａの先端辺で荷台１に、当該内向き折曲部４ａの先端辺に沿った回転軸心を持つコイルヒンジ８により揺動自在に連結され、扉パネル５は、その下辺が荷台１の前側辺に、この荷台１の前側辺に沿った回転軸心を持つコイルヒンジ９により揺動自在に連結されている。又、この図示例では、扉パネル５は水平回転軸心を持つコイルヒンジ１０により互いに揺動自在に連結された下半部５ａと上半部５ｂとから構成され、各扉パネル下半部５ａと上半部５ｂとは、左右両側パネル２，３の前側辺間を閉じる閉じ位置でロック手段１１により左右両側パネル２，３の前側辺に係止される。
【００１３】
上記構成の箱型パレットは、ロック手段１１を解除して扉パネル５を荷台１の上に重ねるように折り畳み、左右両側パネル２，３を背パネル４の内側にそれぞれ重ねるように折り畳み、最後に背パネル４をその内側に重ねられた左右両側パネル２，３と共に荷台１の上に重ねるように折り畳むことにより、嵩低くすることができるものである。
【００１４】
更に荷台１の左右両側辺の前後両端下側には、脚体１２が付設されている。これら４つの脚体１２は、荷台１の下側にフォークリフトのフォークを差し入れる空間を形成すると共に、図４Ａ及び図５Ａに示すように、この箱型パレットを段積みするとき、下段のパレットの左右両側パネル２，３の上辺の前後両端部に嵌合して、上下の箱型パレットが前後左右に位置ずれするのを防止するための下側開放の嵌合部１２ａと、床置き時に前記嵌合部１２ａの内側で着床する接地部１２ｂとを備えている。更に、この箱型パレットの荷台１の左右両側辺の前後両端部には、折り畳みパレット段積み用支持部１３が設けられている。これら４つの折り畳みパレット段積み用支持部１３は、具体的には各脚体１２から上向きに連設して、左右両側パネル２，３の外側に配置したものであって、上記のように各パネル２〜５を荷台１上に重ねるように折り畳んだパレットを図４Ｂ及び図５Ｂに示すように段積みするとき、上段パレットの各脚体１２を嵌合部１２ａにおいて支持するものである。
【００１５】
荷台１の構成を具体的に説明すると、図３及び図４に示すように、荷台１は骨枠１４と敷設材１５とから構成されている。骨枠１４は、荷台１の左右両側辺に配置された奥行き材１６ａ，１６ｂと、両奥行き材１６ａ，１６ｂ間に架設された左右方向の間口材１７ａ〜１７ｅとから構成されている。敷設材１５は、格子状に配列された下側の前後方向線材１８と上側の左右方向線材１９とが両者の交叉部において互いに電気抵抗溶接されることにより構成されたメッシュ構造のものであり、骨枠１４の左右両側の奥行き材１６ａ，１６ｂ間において間口材１７ａ〜１７ｅ上に敷設固着されている。尚、各左右方向線材１９は、その左右両端が左右方向の両端に位置する前後方向線材１８から少し突出する長さを有し、各前後方向線材１８は、前後方向の両端に位置する左右方向線材１９の端と重なる長さを有する。而して、扉パネル５の下側辺は、敷設材１５の前側辺に位置する左右方向線材１９ａにコイルヒンジ９により連結され、背パネル４の内向き折曲部４ａの先端辺は、敷設材１５の後側辺から２番目の左右方向線材１９ｂにコイルヒンジ８により連結される。
【００１６】
荷台骨枠１４の奥行き材１６ａ，１６ｂは、図１０に示すように、左右両側板部２０ａ，２０ｂと両側板部２０ａ，２０ｂの上端間をつなぐ上板部２１とを有する下側開放の型材から構成されたもので、外側板部２０ａには、補強のために中間高さにおいて内側に突曲するリブ２２と、下側辺から内側に折曲する折曲片２３とが、それぞれ全長にわたって一体形成され、上板部２１の内側辺（敷設材１５が敷設される側の側辺）には、側パネル位置決め用突出部２４が当該上板部２１の曲げ加工により全長にわたって一体形成され、この側パネル位置決め用突出部２４の外側の上板部２１の上面が左右両側パネル２，３の下辺を直接支持する平坦上面２１ａを形成している。前記側パネル位置決め用突出部２４は、平坦上面２１ａのある外側に急角度で立ち上がる側面２４ａを有すると共に内側に緩角度で立ち上がる斜面２４ｂを有する断面略直角三角形のものである。
【００１７】
又、奥行き材１６ａ，１６ｂには、図１０及び図１１に示すように、内側板部２０ｂの各間口材１７ａ〜１７ｅに対応する箇所において、それぞれ２本一組のスリット２５ａ，２５ｂが設けられている。一方、各間口材１７ａ〜１７ｅは上側開放の溝形材から成るもので、その長さ方向の両端には、奥行き材１６ａ，１６ｂの２本一組のスリット２５ａ，２５ｂに差し込み可能な舌片２７ａ，２７ｂが平行両側板部２６ａ，２６ｂの端縁から突設され、これら舌片２７ａ，２７ｂがスリット２５ａ，２５ｂに差し込まれたとき、図１０に示すように、各間口材１７ａ〜１７ｅの底板部２６ｃが奥行き材１６ａ，１６ｂの下端と面一になるように構成されている。
【００１８】
各脚体１２は、図６〜図９に示すように、前記嵌合部１２ａと接地部１２ｂとを形成する脚底板材３０と、この脚底板材３０の上側に連設されて横外向きに開放する平面コ字形の柱状部材２８と、この柱状部材２８の横外向き開放部を閉じるように当該柱状部材２８と脚底板材３０の外端部上との間の入り隅部に溶接により付設された垂直部材２９とから構成され、この垂直部材２９が荷台１の奥行き材１６ａ，１６ｂより上方に延出して前記折り畳みパレット段積み用支持部１３を構成している。前記柱状部材２８は、前記脚底板材３０の内側辺から折曲連設された垂直板部２８ａと、当該垂直板部２８ａの両側辺から折曲連設された平行両側板部２８ｂ，２８ｃとから形成され、前記脚底板材３０と柱状部材２８とが１枚の板材の曲げ加工で構成されている。
【００１９】
前記垂直部材２９は、荷台１の奥行き材１６ａ，１６ｂの長さ方向と平行な板面を有する垂直板材から構成され、奥行き材１６ａ，１６ｂの上面より下側の部分に対して上側の部分が左右両側パネル２，３との干渉を避けるために外側に若干張り出すように、中間高さに屈曲部が設けられたもので、垂直荷重に対する座屈強度を高めるために、柱状部材２８より上側の部分の両側辺には内側に突出する円筒状の補強用リブ３１が形成されると共に、全高にわたって幅方向の略中央位置に外側に山形状に突出する補強用リブ３２が形成されたものである。又、垂直部材２９の両側辺の円筒状補強用リブ３１の一方は、当該垂直部材２９の上端から上方に突出して、図５Ｂに示すように、この垂直部材２９が構成する折り畳みパレット段積み用支持部１３を利用して折り畳み状態のパレットを段積みしたとき、上段パレットの脚体１２の嵌合部１２ａが垂直部材２９の上端（折り畳みパレット段積み用支持部１３の上端）から前後方向に外れるのを防止する折り畳みパレット位置決め用突起３３を構成している。
【００２０】
上記構成の脚体１２における柱状部材２８の巾は、荷台骨枠１４の前側前後２本の間口材１７ａ，１７ｂ間及び後側前後２本の間口材１７ｄ，１７ｅ間の間隔と略同一であって、その上端の内側略半分の領域には、前側前後２本の間口材１７ａ，１７ｂ間又は後側前後２本の間口材１７ｄ，１７ｅ間に嵌まり込む突出部３４が形成され、垂直部材２９の中間屈曲部より下側で円筒状補強用リブ３１を備えている部分と前記突出部３４との間の柱状部材２８の上端（平行両側板部２８ｂ，２８ｃの上端）が奥行き材支持面２８ｄとなっている。尚、垂直部材２９は、柱状部材２８の横外向き開放部を閉じる部分を当該柱状部材２８の巾と略同一とし、これより上側の部分、即ち、両側辺に円筒状補強用リブ３１を備えている部分は、前記柱状部材２８の巾より両側に張り出すように巾広とすることにより、正面形状が倒立凸形に構成されている。
【００２１】
荷台１の組み立てについて説明すると、先ず左右一対の奥行き材１６ａ，１６ｂ間に各間口材１７ａ〜１７ｅを、例えば各間口材１７ａ〜１７ｅの両端の舌片２７ａ，２７ｂを奥行き材１６ａ，１６ｂに設けたスリット２５ａ，２５ｂに差し込んで配置する。このとき奥行き材１６ａ，１６ｂと間口材１７ａ〜１７ｅとは互いに溶接しない。係る状態で４つの脚体１２を、それぞれの柱状部材２８の突出部３４を前側前後２本の間口材１７ａ，１７ｂ間と後側前後２本の間口材１７ｄ，１７ｅ間とに下側から嵌め込むと共に、それぞれの柱状部材２８の突出部３４と垂直部材２９との間に奥行き材１６ａ，１６ｂを嵌合させて当該奥行き材１６ａ，１６ｂを柱状部材２８の上端の奥行き材支持面２８ｄで支持させ、この各脚体１２の突出部３４を含む柱状部材２８と奥行き材１６ａ，１６ｂ及び間口材１７ａ，１７ｂ，１７ｄ，１７ｅとの接触境界部を溶接する。又、奥行き材１６ａ，１６ｂの外側面と各脚体１２の垂直部材２９（補強用円筒状リブ３１）との接触境界部を溶接する。尚、この脚体１２の溶接時に、当該脚体１２の柱状部材２８に隣接する位置で奥行き材１６ａ，１６ｂと間口材１７ａ，１７ｂ，１７ｄ，１７ｅとを追加溶接することも可能である。
【００２２】
以上にようにして４つの脚体１２（垂直部材２９を含む）を奥行き材１６ａ，１６ｂ及び間口材１７ａ，１７ｂ，１７ｄ，１７ｅに溶接することにより、この脚体１２を介して奥行き材１６ａ，１６ｂと間口材１７ａ，１７ｂ，１７ｄ，１７ｅとが互いに直角向きに固着連結され、４つの脚体１２を備えた荷台骨枠１４が完成する。このとき中間の間口材１７ｃは、奥行き材１６ａ，１６ｂには固着されていない。次に、下側前後方向線材１８と上側左右方向線材１９とで予め組み立てられた敷設材１５を奥行き材１６ａ，１６ｂ間で各間口材１７ａ〜１７ｅの上に載置し、各下側前後方向線材１８と各間口材１７ａ〜１７ｅの平行両側板部２６ａ，２６ｂと各下側前後方向線材１８との交叉部を電気抵抗溶接で互いに固着することにより、４つの脚体１２を備えた荷台１を完成させる。尚、奥行き材１６ａ，１６ｂには固着されていない中間の間口材１７ｃは、敷設材１５の各下側前後方向線材１８との溶接により、敷設材１５を介して骨枠１４に固着されたことになる。
【００２３】
荷台１に対する各パネル２〜５は従来周知の如く組み付けられる。このようにして組み立てられた折り畳み自在な箱型パレットは、図４Ａ及び図５Ａに示すように、下段パレットの左右両側パネル２，３と上段パレットの４つの脚体１２（嵌合部１２ａ）とを利用して段積みしたり、各パネル２〜５を荷台１の上に重ねるように折り畳んだパレットを、図４Ｂ及び図５Ｂに示すように下段パレットの荷台１から上向きに突出する４つの折り畳みパレット段積み用支持部１３（各脚体１２に連設の垂直部材２９）と上段パレットの４つの脚体１２（嵌合部１２ａ）とを利用して段積みすることができるのであるが、組み立てられたパレットの左右両側パネル２，３の下辺は、図４Ａ、図７の仮想線、及び図１０の仮想線で示すように、左右両奥行き材１６ａ，１６ｂの上面、即ち、側パネル位置決め用突出部２４の外側に位置する平坦上面２１ａで直接支持される。
【００２４】
側パネル２，３は、従来周知のように内側の水平線材３５と外側の垂直線材３６とを格子状に配列して両者を互いの交叉部で溶接することにより構成されるメッシュ構造のものであるから、側パネル２，３の下辺を構成する最下段の内側水平線材３５が左右両奥行き材１６ａ，１６ｂの平坦上面２１ａで直接支持されることになる。従って、図４Ａ及び図５Ａに示すように左右両側パネル２，３を利用してパレットを段積みしたときに各側パネル２，３に作用する垂直荷重で当該側パネル２，３の下辺が内側へ滑ることは、左右両奥行き材１６ａ，１６ｂの側パネル位置決め用突出部２４（略垂直に立ち上がる側面２４ａ）で阻止され、側パネル２，３の下辺が外側へ滑ることは、これら両側パネル２，３の外側に起立している荷台１側の折り畳みパレット段積み用支持部１３（各脚体１２に連設の垂直部材２９）で阻止される。従って、各側パネル２，３に作用する垂直荷重でこれら側パネル２，３が捩れ変形することはなくなり、当該各側パネル２，３の座屈強度で前記垂直荷重を受け持たせることができる。
【００２５】
上記構成の箱型パレットを折り畳むときは、左右両奥行き材１６ａ，１６ｂの平坦上面２１ａからの側パネル位置決め用突出部２４の突出高さが低いので、背パネル４を少し後方に倒した状態で左右両側パネル２，３を当該背パネル４の内側に重ねるように折り畳むことができる。又、折り畳まれているパレットを組み立てる際は、背パネル４を殆ど垂直に起立させた状態で左右両側パネル２，３を外側へ開動させても、側パネル位置決め用突出部２４の内側の緩傾斜の斜面２４ｂの存在により、側パネル２，３の下辺をして側パネル位置決め用突出部２４を容易に外側へ乗り越えさせることができる。
【００２６】
尚、パレット段積み時の側パネル２，３の座屈強度を高めるために、図５Ａに示すように、段積み時に上段パレットの脚体１２を支持する箇所にある各複数本（図示例では各２本）の外側垂直線材３６ａ，３６ｂを他の垂直線材３６より太いものを使用することができる。
【００２８】
上記実施形態では、荷台敷設材１５の左右方向線材１９の両端が荷台骨枠１４の奥行き材１６ａ，１６ｂには支持されないので、この箇所での耐荷重性が低くなる。これが問題になるような場合は、図１２に示すように、奥行き材１６ａ，１６ｂの内側板部２０ｂに前記左右方向線材１９の端部を支持する支持段面３８を一体に形成することができる。又、必要に応じて、各左右方向線材１９の端部と前記支持段面３８とを電気抵抗溶接などで固着することも可能である。
【図面の簡単な説明】
【００２９】
【図１】パレット全体を示す斜視図である。
【図２】パレットの荷台周囲の各パネルの折り畳み構造を説明する概略斜視図である。
【図３】脚体を備えた荷台の構成を説明する平面図であって、右半分は敷設材を省いた状態を示す平面図である。
【図４】Ａ図は組み立てられたパレットの段積み状態を示す要部の正面図、Ｂ図は折り畳まれたパレットの段積み状態を示す要部の正面図である。
【図５】Ａ図は組み立てられたパレットの段積み状態を示す要部の側面図、Ｂ図は折り畳まれたパレットの段積み状態を示す要部の側面図である。
【図６】Ａ図は荷台の脚体部分を外側から示す側面図、Ｂ図は荷台の脚体部分を内側から示す縦断側面図である。
【図７】図６Ａの正面図である。
【図８】図６Ａの一部切欠き平面図である。
【図９】折り畳みパレット段積み用支持部が連設された脚体の斜視図である。
【図１０】図７の要部拡大縦断面図である。
【図１１】荷台骨枠の構成部材を分解状態で示す要部の斜視図である。
【図１２】荷台骨枠の奥行き材の更変形例を示す要部の縦断正面図である。
【符号の説明】
【００３０】
１    荷台
２，３    左右両側パネル
４    背パネル
５    扉パネル
１２    脚体
１３    折り畳みパレット段積み用支持部
１４    荷台の骨枠
１５    荷台の敷設材
１６ａ，１６ｂ    骨枠の奥行き材
１７ａ〜１７ｅ    骨枠の間口材
１８，１９    敷設材の線材
２０ａ，２０ｂ    奥行き材の側板部
２１    奥行き材の上板部
２１ａ    側パネル支持用平坦上面
２４    側パネル位置決め用突出部
２４ａ    急角度で立ち上がる側面
２４ｂ    緩角度で立ち上がる斜面
２５ａ，２５ｂ    ２本一組のスリット
２７ａ，２７ｂ    間口材の舌片
【図１】
0004600674.tif 000002
【図２】
0004600674.tif 000003
【図３】
0004600674.tif 000004
【図４】
0004600674.tif 000005
【図５】
0004600674.tif 000006
【図６】
0004600674.tif 000007
【図７】
0004600674.tif 000008
【図８】
0004600674.tif 000009
【図９】
0004600674.tif 000010
【図１０】
0004600674.tif 000011
【図１１】
0004600674.tif 000012
【図１２】
0004600674.tif 000013